(57)【要約】【課題】  カラー文書の原画のデータを残しつつ、色覚異常者のカラー文書の判読性を高めた画像データを提供できるようにする。【解決手段】  制御部は、Ｓ１で、画像読込部が、カラー文書の画像データを読み込み、Ｓ２で、画像要素抽出部が、カラー文書の画像データからＯＣＲ処理で認識した文字部分の画像データを抽出し、Ｓ３で、画像要素グルーピング部が、カラー文書の画像データから抽出された文字部分の画像データを、グループに分ける。Ｓ４で、色決定部が、各グループ毎にグループ内の文字部分の画像データの色成分を調整し、Ｓ５で、ファイル出力部が、色成分の調整をした文字部分の画像データを、から文書の画像データとは別レイヤーにして、カラー文書の画像データのファイルに追加して格納し、この処理を終了する。【選択図】        図２
2010068296.tif 000002
【特許請求の範囲】
【請求項１】
カラー文書の画像データから文書内容を判読する上で重要な部分の画像データを抽出する抽出手段と、
前記カラー文書の画像データの前記重要な部分の画像データの周辺の画像データの色成分に基づいて、前記カラー文書の画像データの前記重要な部分の画像データの周辺の画像データに対して前記重要な部分の画像データのコントラストを強調するように、前記抽出手段によって抽出した重要な部分の画像データの色成分を調整する色成分調整手段と、
該色成分調整手段によって色成分を調整した重要な部分の画像データを、前記カラー文書の画像データとは別レイヤーにして前記カラー文書の画像データに格納するレイヤー格納手段とを備えたことを特徴とする画像処理装置。
【請求項２】
前記文書内容を判読する上で重要な部分の画像データは、前記カラー文書の画像データから文字認識処理によって認識された文字部分の画像データであることを特徴とする請求項１記載の画像処理装置。
【請求項３】
前記色成分調整手段は、前記色成分の調整を、前記カラー文書の画像データから文字認識処理によって認識された行単位でグループ化された文字部分の画像データに対して行うようにしたことを特徴とする請求項２記載の画像処理装置。
【請求項４】
前記色成分調整手段は、前記色成分の調整を、前記カラー文書の画像データから文字認識処理によって認識された列単位でグループ化された文字部分の画像データに対して行うようにしたことを特徴とする請求項２記載の画像処理装置。
【請求項５】
前記色成分調整手段は、前記色成分の調整を、前記カラー文書の画像データから文字認識処理によって認識された領域単位でグループ化された文字部分の画像データに対して行うようにしたことを特徴とする請求項２記載の画像処理装置。
【請求項６】
前記色成分の調整は、赤，緑，青の各色成分を増加又は減少させる調整であることを特徴とする請求項１乃至５のいずれか一項に記載の画像処理装置。
【請求項７】
前記色成分の調整は、緑，青の各色成分を増加又は減少させる調整であることを特徴とする請求項１乃至５のいずれか一項に記載の画像処理装置。
【請求項８】
前記色成分の調整は、赤，青の各色成分を増加又は減少させる調整であることを特徴とする請求項１乃至５のいずれか一項に記載の画像処理装置。
【請求項９】
前記色成分の調整は、赤，緑の各色成分を増加又は減少させる調整であることを特徴とする請求項１乃至５のいずれか一項に記載の画像処理装置。
【請求項１０】
画像処理装置における画像処理方法であって、カラー文書の画像データから文書内容を判読する上で重要な部分の画像データを抽出する抽出工程と、前記カラー文書の画像データの前記重要な部分の画像データの周辺の画像データの色成分に基づいて、前記カラー文書の画像データの前記重要な部分の画像データの周辺の画像データに対して前記重要な部分の画像データのコントラストを強調するように、前記抽出工程によって抽出した重要な部分の画像データの色成分を調整する色成分調整工程と、該色成分調整工程によって色成分を調整した重要な部分の画像データを、前記カラー文書の画像データとは別レイヤーにして前記カラー文書の画像データに格納するレイヤー格納工程とからなることを特徴とする画像処理方法。
【請求項１１】
コンピュータに、カラー文書の画像データから文書内容を判読する上で重要な部分の画像データを抽出する抽出手順と、前記カラー文書の画像データの前記重要な部分の画像データの周辺の画像データの色成分に基づいて、前記カラー文書の画像データの前記重要な部分の画像データの周辺の画像データに対して前記重要な部分の画像データのコントラストを強調するように、前記抽出手順によって抽出した重要な部分の画像データの色成分を調整する色成分調整手順と、該色成分調整手順によって色成分を調整した重要な部分の画像データを、前記カラー文書の画像データとは別レイヤーにして前記カラー文書の画像データに格納するレイヤー格納手順とを実行させるためのプログラム。
【請求項１２】
請求項１１記載のプログラムを記録したコンピュータ読み取り可能な記録媒体。
【発明の詳細な説明】
【技術分野】
【０００１】
この発明は、ファクシミリ装置，プリンタ，複写機，複合機，コンピュータを含む画像処理装置と、その画像処理装置における画像処理方法と、コンピュータに実行させる手順からなるプログラムと、そのプログラムを記録したコンピュータ読み取り可能な記録媒体に関する。
【背景技術】
【０００２】
近年では、カラープリンタの普及によりカラー文書を作成する機会が増えてきているが、色覚異常者（色覚障害者）にとっても読み易いカラー文書を作成することは難しい。
従来、ＯＳやアプリケーションの機能として、カラー文書のテキストの文字色を色覚異常者が識別し易い任意の色に変更する支援機能を備えた画像処理装置（例えば、特許文献１参照）があった。
【特許文献１】特開２００４−９４８１４号公報
【発明の開示】
【発明が解決しようとする課題】
【０００３】
しかしながら、従来の画像処理装置では、カラー文書のテキストの文字色を色覚異常者が識別し易い任意の色に変更してしまうので、カラー文書の原画のデータを残しつつ、色覚異常者のカラー文書の判読性を高めた画像データを提供できないという問題があった。
この発明は上記の点に鑑みてなされたものであり、カラー文書の原画のデータを残しつつ、色覚異常者のカラー文書の判読性を高めた画像データを提供できるようにすることを目的とする。
【課題を解決するための手段】
【０００４】
この発明は上記の目的を達成するため、カラー文書の画像データから文書内容を判読する上で重要な部分の画像データを抽出する抽出手段と、上記カラー文書の画像データの上記重要な部分の画像データの周辺の画像データの色成分に基づいて、上記カラー文書の画像データの上記重要な部分の画像データの周辺の画像データに対して上記重要な部分の画像データのコントラストを強調するように、上記抽出手段によって抽出した重要な部分の画像データの色成分を調整する色成分調整手段と、その色成分調整手段によって色成分を調整した重要な部分の画像データを、上記カラー文書の画像データとは別レイヤーにして上記カラー文書の画像データに格納するレイヤー格納手段を備えた画像処理装置を提供する。
また、上記文書内容を判読する上で重要な部分の画像データを、上記カラー文書の画像データから文字認識処理によって認識された文字部分の画像データにするとよい。
【０００５】
さらに、上記色成分調整手段が、上記色成分の調整を、上記カラー文書の画像データから文字認識処理によって認識された行単位でグループ化された文字部分の画像データに対して行うようにするとよい。
あるいは、上記色成分調整手段が、上記色成分の調整を、上記カラー文書の画像データから文字認識処理によって認識された列単位でグループ化された文字部分の画像データに対して行うようにしてもよい。
あるいはまた、上記色成分調整手段が、上記色成分の調整を、上記カラー文書の画像データから文字認識処理によって認識された領域単位でグループ化された文字部分の画像データに対して行うようにしてもよい。
【０００６】
また、上記色成分の調整を、赤，緑，青の各色成分を増加又は減少させる調整にするとよい。あるいは、上記色成分の調整を、緑，青の各色成分を増加又は減少させる調整にしてもよい。また、上記色成分の調整を、赤，青の各色成分を増加又は減少させる調整にしてもよい。あるいは、上記色成分の調整を、赤，緑の各色成分を増加又は減少させる調整にしてもよい。
【０００７】
また、画像処理装置における画像処理方法であって、カラー文書の画像データから文書内容を判読する上で重要な部分の画像データを抽出する抽出工程と、上記カラー文書の画像データの上記重要な部分の画像データの周辺の画像データの色成分に基づいて、上記カラー文書の画像データの上記重要な部分の画像データの周辺の画像データに対して上記重要な部分の画像データのコントラストを強調するように、上記抽出工程によって抽出した重要な部分の画像データの色成分を調整する色成分調整工程と、その色成分調整工程によって色成分を調整した重要な部分の画像データを、上記カラー文書の画像データとは別レイヤーにして上記カラー文書の画像データに格納するレイヤー格納工程とからなる画像処理方法も提供する。
【０００８】
さらに、コンピュータに、カラー文書の画像データから文書内容を判読する上で重要な部分の画像データを抽出する抽出手順と、上記カラー文書の画像データの上記重要な部分の画像データの周辺の画像データの色成分に基づいて、上記カラー文書の画像データの上記重要な部分の画像データの周辺の画像データに対して上記重要な部分の画像データのコントラストを強調するように、上記抽出手順によって抽出した重要な部分の画像データの色成分を調整する色成分調整手順と、その色成分調整手順によって色成分を調整した重要な部分の画像データを、上記カラー文書の画像データとは別レイヤーにして上記カラー文書の画像データに格納するレイヤー格納手順を実行させるためのプログラムも提供する。
さらにまた、上記のようなプログラムを記録したコンピュータ読み取り可能な記録媒体も提供する。
【発明の効果】
【０００９】
この発明による画像処理装置と画像処理方法は、カラー文書の原画のデータを残しつつ、色覚異常者のカラー文書の判読性を高めた画像データを提供することができる。
また、この発明によるプログラムは、コンピュータに、カラー文書の原画のデータを残しつつ、色覚異常者のカラー文書の判読性を高めた画像データを提供できるようにするための機能を実現させることができる。
さらに、この発明のコンピュータ読み取り可能な記録媒体は、コンピュータに上記プログラムを容易に導入することができる。
【発明を実施するための最良の形態】
【００１０】
以下、この発明を実施するための最良の形態を図面に基づいて具体的に説明する。
〔実施例１〕
図１は、この発明の画像処理装置の実施例１の機能構成を示すブロック図である。
実施例１は、パーソナルコンピュータ（ＰＣ）１であり、ＣＰＵ，ＲＯＭ及びＲＡＭからなるマイクロコンピュータによって実現される制御部１０と、利用者が各種の操作情報を入力する入力部１１と、カラー文書の画像と各種の操作画面と色成分を調整したカラー文書の重要な部分の画像を含む各種の画面を表示するディスプレイである表示部１２と、ＣＤを含む記憶媒体に記憶されたカラー文書の画像データを読み出し、その記憶媒体に色成分を調整したカラー文書の重要な部分の画像を別レイヤーで格納したカラー文書の画像データを書き込むＣＤドライブを含む記録装置である読書部１３と、ローカルエリアネットワークとインターネットを含む通信網を介してデータ通信する通信部１４とを備えている。
【００１１】
制御部１０は、ＲＯＭ内に各種のプログラム（この発明に係るプログラムを含む）を格納し、ＣＰＵがＲＡＭを作業領域として各プログラムを実行することによって行う制御処理（この発明に係る画像処理方法の手順の実行）により、このＰＣ１の全体の制御を司り、画像読込部２０，画像要素抽出部２１，画像要素グルーピング部２２，色決定部２３，及びファイル出力部２４の各機能も果たす。
画像読込部２０は、読書部１３又は通信部１４から入力したカラー文書の画像データを読み込む。
画像要素抽出部２１は、画像読込部２０によって読み込んだカラー文書の画像データから文書内容を判読する上で重要な部分の画像データを抽出する。すなわち、上記抽出手段の機能を果たす。
この実施例１では、上記文書内容を判読する上で重要な部分の画像データを、上記カラー文書の画像データから文字認識処理（ＯＣＲ処理）によって認識された文字部分の画像データにした場合を説明する。
【００１２】
このＯＣＲ処理は、例えば、上記画像読込部２０で行うようにすると良い。
画像要素グルーピング部２２は、画像要素抽出部２１によって抽出された各文字部分の画像データを所定のルールに基づいてグループ分けする。
このグループ分けのルールとしては、カラー文書の画像データから文字認識処理によって認識された行単位でグループ化する場合と、カラー文書の画像データから文字認識処理によって認識された列単位でグループ化する場合と、カラー文書の画像データから文字認識処理によって認識された領域単位でグループ化する場合の複数種類がある。
これらのルールの種類の選定については、入力部１１から利用者の選択入力情報に基づいていずれかの種類を選定すると良い。
色決定部２３は、カラー文書の画像データの文字部分の画像データの周辺の画像データの色成分に基づいて、カラー文書の画像データの文字部分の画像データの周辺の画像データに対して文字部分の画像データのコントラストを強調するように、画像要素抽出部２１によって抽出した文字部分の画像データの色成分を調整する。すなわち、上記色成分調整手段の機能を果たす。
【００１３】
上記色成分の調整としては、赤，緑，青の各色成分を増加又は減少させる調整の場合と、緑，青の各色成分を増加又は減少させる調整の場合と、赤，青の各色成分を増加又は減少させる調整の場合と、赤，緑の各色成分を増加又は減少させる調整の場合の複数種類がある。
これらの調整処理の種類の選定については、入力部１１から利用者の選択入力情報に基づいていずれかの種類を選定すると良い。
ファイル出力部２４は、色決定部２３によって色成分を調整した文字部分の画像データを、カラー文書の画像データとは別レイヤーにしてカラー文書の画像データに格納したファイルを出力する。すなわち、上記レイヤー格納手段の機能を果たす。
そして、表示部１２は、ファイル出力部２４によって作成されたファイルに基づいて、正常色覚者に対してカラー文書の原画を、色覚異常者に対しては文字部分の色成分を調整したカラー文書の画像をそれぞれ表示することができる。
【００１４】
図２は、図１に示した制御部１０の処理を示すフローチャート図である。
制御部１０は、ステップ（図中「Ｓ」で示す）１で、画像読込部が、カラー文書の画像データを読み込み、ステップ２で、画像要素抽出部が、カラー文書の画像データからＯＣＲ処理で認識した文字部分の画像データを抽出し、ステップ３で、画像要素グルーピング部が、カラー文書の画像データから抽出された文字部分の画像データを、グループに分ける。
ステップ４で、色決定部が、各グループ毎にグループ内の文字部分の画像データの色成分を調整し、ステップ５で、ファイル出力部が、色成分の調整をした文字部分の画像データを、から文書の画像データとは別レイヤーにして、カラー文書の画像データのファイルに追加して格納し、この処理を終了する。
【００１５】
図３は、図１に示したファイル出力部２４で作成されるカラー画像データのファイルの内容を示す説明図である。
ファイル出力部２４は、図３の（ａ）に示すように、画像読込部２０によって読み込んだカラー文書の画像ファイル５０には、カラー文書の画像データ６０が格納されており、上述した画像処理を施すことにより、図３の（ｂ）に示すように、カラー文書の画像データ６０に、その画像データ中の文字部分の画像データの色成分を調整した画像データ（「前景データ」という）６１を別レイヤーにしてファイル内に格納した画像ファイル５１を作成する。
【００１６】
図４と図５は、図１に示した表示部１２におけるカラー文書の画像の表示例を示す説明図である。
図４の（ａ）に示す表示画面には、カラー文書の画像データ（原画の画像データ）６０を表示しており、このカラー文書の画像データ６０が、例えば、背景が濃い赤色で、「ＡＢＣ」の文字部分が黒色である画像の場合、赤色の識別が困難な第１色覚異常者には、背景の濃い赤色が濃い灰色又は黒色に見えるので、図４の（ｂ）に示すように、背景と文字とのコントラストがほぼ無くなるので、背景と文字部分の区別がつき難い、あるいは区別がつかない画像６２に見えてしまう。
そこで、上述したような文字部分の画像の色成分の調整処理によって、文字部分の黒色の成分を減少させて、薄い灰色の画像に調整することにより、図５の（ｂ）に示す表示画面のように、カラー文書の画像データ６０に別レイヤーの文字部分の画像データの色成分を調整した画像データ（図中「ＡＢＣ」の画像データ、図４の画像データ６１）を重ねて表示した画像６３は、第１色覚異常者には、背景の濃い赤色が濃い灰色又は黒色に見えるけれども、文字部分は薄い灰色、あるいは白色にみえるので、図５の（ｂ）に示すように、背景と文字とのコントラストが強調されて、背景と文字部分の区別がつく画像６４に見える。
【００１７】
また、上述の例では、背景が濃い赤色で、文字部分が黒色の画像について説明したが、背景が薄い赤色で、文字部分が薄い灰色の画像の場合、文字部分の色成分を増やして濃い灰色、あるいは黒色にする色成分の調整処理を施すことにより、第１色覚異常者が見たときに、背景が薄い灰色に、文字部分が濃い灰色、あるいは黒色に見えるので、背景に対して文字部分のコントラストが強調されて、背景と文字部分の区別がつく画像に見える。
このようにして、カラー文書の画像において、文字部分の画像の色成分を増加あるいは減少させることにより、文字部分の周囲の画像との識別が困難な色覚異常者にとって、文書の重要な部分である文字を容易に識別可能にすることができる。
また、上述の説明では、赤色の色感度の低い第１色覚異常者用のカラー文書の画像データを作成する場合について説明したが、緑色の識別が困難な第２色覚異常者用，青色の識別が困難な第３色覚異常者用，全色盲者用のカラー文書の画像データを作成する場合についても、上述と同じようにして、文字部分の画像の色成分を調整し、背景に対して文字部分のコントラストを強調するようにして、第２，第３色覚異常者及び全色盲者にとって、文書の重要な部分である文字を容易に識別可能にする画像を提供することができる。
【００１８】
〔実施例２〕
実施例１では、この発明をＰＣに適用した場合について説明したが、ネットワーク上でクライアントＰＣからの依頼を受けて画像処理を行う画像処理装置にも適用することができる。
図６は、この発明の画像処理装置の実施例２の機能構成を示すブロック図である。
実施例２では、画像処理装置２とクライアントＰＣ３とスキャナ４とがローカルエリアネットワーク，ファクシミリ通信網，インターネットを含むネットワークを実現する通信網５を介してデータ通信可能に接続されている。
画像処理装置２は、通信網５を介してクライアントＰＣ３からの依頼により、通信網５を介してスキャナ４によって読み取られたカラー文書の画像データを受信し、そのカラー文書の画像データに、カラー文書中の重要な部分の画像の色成分を調整した画像データを別レイヤーで格納したファイルを作成し、通信網５を介してクライアントＰＣ３へ送信する処理を行う。
【００１９】
画像処理装置２は、コンピュータであり、ＣＰＵ，ＲＯＭ及びＲＡＭからなるマイクロコンピュータによって実現される制御部３０と、ローカルエリアネットワークとファクシミリ通信網とインターネットを含む通信網５を介してデータ通信する通信部３１とを備えている。
制御部３０は、ＲＯＭ内に各種のプログラム（この発明に係るプログラムを含む）を格納し、ＣＰＵがＲＡＭを作業領域として各プログラムを実行することによって行う制御処理（この発明に係る画像処理方法の手順の実行）により、この画像処理装置２の全体の制御を司り、画像読込部４０，画像要素抽出部４１，画像要素グルーピング部４２，色決定部４３，及びファイル出力部４４の各機能も果たす。
【００２０】
画像読込部４０は、通信部３１から入力したカラー文書の画像データを読み込む。
画像要素抽出部４１は、画像読込部４０によって読み込んだカラー文書の画像データから文書内容を判読する上で重要な部分の画像データを抽出する。すなちわ、上記抽出手段の機能を果たす。
この実施例２でも、上記文書内容を判読する上で重要な部分の画像データを、上記カラー文書の画像データから文字認識処理（ＯＣＲ処理）によって認識された文字部分の画像データにした場合を説明する。
【００２１】
このＯＣＲ処理は、例えば、上記画像読込部４０で行うようにすると良い。
画像要素グルーピング部４２は、画像要素抽出部４１によって抽出された各文字部分の画像データを所定のルールに基づいてグループ分けする。
このグループ分けのルールとしては、カラー文書の画像データから文字認識処理によって認識された行単位でグループ化する場合と、カラー文書の画像データから文字認識処理によって認識された列単位でグループ化する場合と、カラー文書の画像データから文字認識処理によって認識された領域単位でグループ化する場合の複数種類がある。
これらのルールの種類の選定については、クライアントＰＣ３から送られる利用者の選択入力情報に基づいていずれかの種類を選定すると良い。
色決定部４３は、カラー文書の画像データの文字部分の画像データの周辺の画像データの色成分に基づいて、カラー文書の画像データの文字部分の画像データの周辺の画像データに対して文字部分の画像データのコントラストを強調するように、画像要素抽出部４１によって抽出した文字部分の画像データの色成分を調整する。すなわち、上記色成分調整手段の機能を果たす。
【００２２】
上記色成分の調整としては、赤，緑，青の各色成分を増加又は減少させる調整の場合と、緑，青の各色成分を増加又は減少させる調整の場合と、赤，青の各色成分を増加又は減少させる調整の場合と、赤，緑の各色成分を増加又は減少させる調整の場合の複数種類がある。
これらの調整処理の種類の選定については、入力部１１から利用者の選択入力情報に基づいていずれかの種類を選定すると良い。
ファイル出力部４４は、色決定部４３によって色成分を調整した文字部分の画像データを、カラー文書の画像データとは別レイヤーにしてカラー文書の画像データに格納したファイルを出力する。すなわち、上記レイヤー格納手段の機能を果たす。
そして、通信部３１により、ファイル出力部４４によって作成されたファイルをクライアントＰＣ３へ送信し、クライアントＰＣ３は、そのファイルに基づいて、自装置の表示装置に、正常色覚者に対してカラー文書の原画を、色覚異常者に対しては文字部分の色成分を調整したカラー文書の画像をそれぞれ表示することができる。
【００２３】
この実施例では、カラー文書の原画の画像データに、カラー文書を判読する上で重要と思われる部分の画像、例えば、文字部分の画像について、カラー文書中の文字部分を色覚異常者が認識できるように、その文字部分の画像の色成分を調整した画像を作成し、原画の上に色成分を調整した文字部分を重ねられるように別レイヤーとして格納したファイルを作成するので、レイヤーの表示状態を選択できるアプリケーションを用いて、上記生成されたファイルに基づいて画像を閲覧する場合、正常色覚者にはカラー文書の原画の画像データに基づく画像を、色覚異常者にはカラー文書の原画に別レイヤーの文字部分の画像を重ねてそれぞれ出力することができ、１ファイルの画像データから正常色覚者用と色覚異常者用の２種類の画像を容易に提供することができる。
また、別レイヤーとして格納される文字部分の画像データは文書を判読する上で重要と思われる画素のみである為、複数の見栄えを持ちつつもファイルサイズを抑えることができる。
【００２４】
さらに、カラー文書を判読する上で重要と思われる部分として、カラー文書中から文字部分を抽出する場合、ＯＣＲ技術を利用することにより、文字部分を抽出する精度が高くなり、文字以外の部分を誤って抽出する確率が小さくなることにより、文字以外の部分に対する色成分の誤調整を抑制することができる。
また、ＯＣＲ処理の結果で得られた行，列，あるいは領域という単位でグルーピングした各文字部分の画像に対して色成分の調整を行うことにより、文字毎に色が変わってしまい判読性に欠ける色付けになることを防ぐことができ、文字部分の背景色が変化していく中でも、過度の文字色の変化を抑えつつ判読性の良い色付けを行うことができる。
さらに、色成分の調整を、文字色と文字の周辺色の赤，緑，青の色成分を比較してコントラストが強くなるように赤，緑，青の色成分を増減するようにすれば、全色成分を調整して背景に対して文字部分のコントラストを高めることにより、第１〜３色覚異常者、全色盲者に対してカラー文書の文字が識別できる画像を提供することができる。
【００２５】
また、色成分の調整を、文字色と文字の周辺色の緑，青の色成分を比較して緑，青の色成分のコントラストが強くなるように緑，青の色成分を増減するようにすれば、赤色がほぼ黒色に見えてしまう第１色覚異常者に対してカラー文書の赤文字が識別できる画像を提供することができる。
さらに、色成分の調整を、文字色と文字の周辺色の赤，青の色成分を比較して赤，青の色成分のコントラストが強くなるように赤，青の色成分を増減するようにすれば、緑色の識別が困難な第２色覚異常に対してカラー文書の緑文字が識別できる画像を提供することができる。
また、色成分の調整を、文字色と文字の周辺色の赤，緑の色成分を比較して赤，緑の色成分のコントラストが強くなるように赤，緑の色成分を増減するようにすれば、青色の識別が困難な第３色覚異常に対してカラー文書の青文字が識別できる画像を提供することができる。
【００２６】
なお、上述の各実施例では、カラー文書の重要な部分として、文字部分の場合の処理について説明したが、画像の形状を認識する技術を用いれば、指定された形状の図形に対しても、上述と同様の色成分の調整処理を施すことができる。また、指定された領域内の文字及び図形についても上述と同様の色成分の調整処理を施すことができる。
したがって、色覚異常者が文字以外の部分についても識別可能な画像を提供することができる。
この発明はファクシミリ装置，プリンタ，複写機，複合機を含む画像処理装置についても、上述と同様にして実施することができる。
【産業上の利用可能性】
【００２７】
この発明による画像処理装置と画像処理方法とプログラムとコンピュータ読み取り可能な記録媒体は、ファクシミリ装置，プリンタ，複写機，複合機，コンピュータを含む画像処理装置全般に適用することができる。
【図面の簡単な説明】
【００２８】
【図１】この発明の画像処理装置の実施例１の機能構成を示すブロック図である。
【図２】図１に示す制御部の処理を示すフローチャート図である。
【図３】図１に示すファイル出力部で作成されるカラー画像データのファイルの内容を示す説明図である。
【図４】図１に示す表示部におけるカラー文書の画像の表示例を示す説明図である。
【図５】図１に示す表示部におけるカラー文書の画像の表示例を示す説明図である。
【図６】この発明の画像処理装置の実施例２の機能構成を示すブロック図である。
【符号の説明】
【００２９】
１：ＰＣ    ２：画像処理装置    ３：クライアントＰＣ    ４：スキャナ    ５：通信網    １０，３０：制御部    １１：入力部    １２：表示部    １３：読書部    １４，３１：通信部    ２０，４０：画像読込部    ２１，４１：画像要素抽出部    ２２，４２：画像要素グルーピング部    ２３，４３：色決定部    ２４，４４：ファイル出力部    ５０，５１：画像ファイル    ６０：カラー文書の画像データ    ６１：色成分を調整した画像データ    ６２〜６４：画像
【図１】
2010068296.tif 000003
【図２】
2010068296.tif 000004
【図６】
2010068296.tif 000005
【図３】
2010068296.tif 000006
【図４】
2010068296.tif 000007
【図５】
2010068296.tif 000008